(57)【要約】  本明細書では、２つまたはそれ以上のスイッチング可能な可変複屈折液晶デバイスが、受動的なリターダと組み合わせて使用され、２つのリタデーション値の間でスイッチングするデバイスが製造される。上記デバイスは、新規の自己補償スキームを使用して、広い入射角の範囲にわたって２つの電圧状態の各々で垂直入射のリタデーションを維持する。この設計の一実施形態によれば、厚さ方向のリタデーションは、非通電状態および完全通電状態の両方においてゼロのままである。
2021503624.tif 000002
【特許請求の範囲】
【請求項１】
リタデーションスイッチングデバイスであって、
面内のリタデーションと、厚さ方向のリタデーションとを有する受動的なバイアスリターダと、
厚さ方向のリタデーションと連関する、第１の全リタデーションと、電圧制御された面内のリタデーションとを有する第１の液晶セル（ＬＣ１）と、
厚さ方向のリタデーションと連関する、第２の全リタデーションと、電圧制御された面内のリタデーションとを有する第２の液晶セル（ＬＣ２）と、
ＬＣ１が低電圧に駆動され、ＬＣ２が高電圧に駆動され、ＬＣ１およびＬＣ２が各々、第１の面内のリタデーションおよび第１の厚さ方向のリタデーションを有する、第１の電圧状態と、
ＬＣ１が高電圧に駆動され、ＬＣ２が低電圧に駆動され、ＬＣ１およびＬＣ２が各々、第２の面内のリタデーションおよび第２の厚さ方向のリタデーションを有する、第２の電圧状態と
を含み、
前記バイアスリターダ、ＬＣ１、およびＬＣ２は、第１の電圧状態と第２の電圧状態との間のスイッチングが、面内の複合リタデーションの変化をもたらすように、直列に配置され、
両方の電圧状態での厚さ方向の複合リタデーションの大きさが、最大の面内の複合リタデーションより小さい、リタデーションスイッチングデバイス。
【請求項２】
前記第１のＬＣスイッチおよび前記第２のＬＣスイッチが、一方の状態では、一軸性のＡプレートリターダとして挙動し、他方の状態では、Ｃプレートリターダとして挙動する、請求項１記載のリタデーションスイッチングデバイス。
【請求項３】
前記第１の液晶セルの光軸が、前記第２の液晶セルの光軸と実質的に交差する、請求項１記載のリタデーションスイッチングデバイス。
【請求項４】
スイッチの各々のプレチルトは、３度未満である、請求項２記載のリタデーションスイッチングデバイス。
【請求項５】
スイッチの各々は、スプレイを有し、スイッチの各々の一方の状態または他方の状態のいずれかで、前記スプレイから生じるＲeは、１０ナノメートル未満である、請求項２記載のリタデーションスイッチングデバイス。
【請求項６】
前記第１のＬＣスイッチおよび前記第２のＬＣスイッチの全リターダンスは、実質的に同じである、請求項２記載のリタデーションスイッチングデバイス。
【請求項７】
前記バイアスリターダは、Ａプレートリターダである、請求項１記載のリタデーションスイッチングデバイス。
【請求項８】
液晶セルの光軸は、前記バイアスリターダの光軸に実質的に平行または垂直である、請求項７記載のリタデーションスイッチングデバイス。
【請求項９】
前記バイアスリターダ、前記第１のＬＣスイッチ、および前記第２のＬＣスイッチの面内のリターダンスは、実質的に同じである、請求項７記載のリタデーションスイッチングデバイス。
【請求項１０】
前記第１のＬＣスイッチおよび前記第２のＬＣスイッチの各々の面内のリターダンスは、前記バイアスリターダの面内のリターダンスよりも最大で２０％大きい、請求項７記載のリタデーションスイッチングデバイス。
【請求項１１】
前記Ａプレートリターダは、λ／４のＲeおよびλ／８のＲthを有する一軸性の１／４波長リターダであり、λは、それを通過する光の波長である、請求項２記載のリタデーションスイッチングデバイス。
【請求項１２】
前記第１のＬＣスイッチおよび前記第２のＬＣスイッチの一方が前記一方の状態または前記他方の状態の一方にあり、前記第１のＬＣスイッチおよび前記第２のＬＣスイッチの他方が前記一方の状態または前記他方の状態の他方にあるときに、デバイスの複合Ｒthがゼロであるように、Ａプレートバイアスリターダのリタデーションと前記第１のＬＣスイッチおよび前記第２のＬＣスイッチのリタデーションは整合し、
前記第１のＬＣスイッチおよび前記第２のＬＣスイッチの一方が前記一方の状態にあり、前記第１のＬＣスイッチおよび前記第２のＬＣスイッチの他方が前記他方の状態にあるときに、デバイスの複合Ｒeはゼロであり、
前記第１のＬＣスイッチおよび前記第２のＬＣスイッチの一方が前記他方の状態にあり、前記第１のＬＣスイッチおよび前記第２のＬＣスイッチの他方が前記一方の状態にあるときに、デバイスの複合Ｒeはλ／２である、請求項２記載のリタデーションスイッチングデバイス。
【請求項１３】
前記バイアスリターダは、Ｃプレートリターダである、請求項１記載のリタデーションスイッチングデバイス。
【請求項１４】
Ｃプレートバイアスリターダは、λ／８のＲthを有し、λは、それを通過する光の波長である、請求項１３記載のリタデーションスイッチングデバイス。
【請求項１５】
前記第１のＬＣスイッチおよび前記第２のＬＣスイッチの一方が前記一方の状態または前記他方の状態の一方にあり、前記第１のＬＣスイッチおよび前記第２のＬＣスイッチの他方が前記一方の状態または前記他方の状態の他方にあるときに、デバイスの複合Ｒthがゼロであるように、Ｃプレートバイアスリターダのリタデーションと前記第１のＬＣスイッチおよび前記第２のＬＣスイッチのリタデーションは整合し、
前記第１のＬＣスイッチおよび前記第２のＬＣスイッチの一方が前記一方の状態にあり、前記第１のＬＣスイッチおよび前記第２のＬＣスイッチの他方が前記他方の状態にあるときに、デバイスの複合Ｒeはλ／４であり、
前記第１のＬＣスイッチおよび前記第２のＬＣスイッチの一方が前記他方の状態にあり、前記第１のＬＣスイッチおよび前記第２のＬＣスイッチの他方が前記一方の状態にあるときに、デバイスの複合Ｒeは−λ／４である、請求項１３記載のリタデーションスイッチングデバイス。
【請求項１６】
入力偏光子をさらに含む、請求項１記載のリタデーションスイッチングデバイス。
【請求項１７】
入力偏光子の後に配置される幾何学的補償器をさらに含み、前記幾何学的補償器は、前記入力偏光子および検光子が交差することによる幾何学的漏れを最小にする、請求項１記載のリタデーションスイッチングデバイス。
【請求項１８】
出力検光子をさらに含み、前記出力検光子は、偏光子に対して交差している、請求項１６記載のリタデーションスイッチングデバイス。
【請求項１９】
出力に偏光選択反射面をさらに含む、請求項１６記載のリタデーションスイッチングデバイス。
【請求項２０】
出力に配置される１／４波長リターダをさらに含む、請求項１６記載のリタデーションスイッチングデバイス。
【請求項２１】
出力に配置される幾何学的位相回折光学素子をさらに含む、請求項１６記載のリタデーションスイッチングデバイス。
【請求項２２】
デバイスであって、
偏光子と、
面内のリタデーション（Ｒe）と、厚さ方向のリタデーション（Ｒth）とを有するＡプレートリターダと、
光軸を有する第１の液晶（ＬＣ）スイッチであって、前記第１のＬＣスイッチのＲeが前記ＡプレートリターダのＲeと加算されるように配置され、一方の状態と他方の状態との間でスイッチング可能である、第１の液晶（ＬＣ）スイッチと、
光軸を有する第２のＬＣスイッチであって、前記第２のＬＣスイッチのＲeが前記ＡプレートリターダのＲeと差分されるように配置され、一方の状態と他方の状態との間でスイッチング可能である、第２のＬＣスイッチと
を含み、
前記第１のＬＣスイッチおよび前記第２のＬＣスイッチは、スイッチの他方が前記他方の状態にあるときにはいつでも、スイッチの一方が前記一方の状態にあるように制御され、
デバイス全体の複合Ｒthは、前記一方の状態または前記他方の状態のいずれかで、個々のスイッチのいずれかのＲthよりも実質的に小さく、
前記第１のＬＣスイッチおよび前記第２のＬＣスイッチは、前記一方の状態では、一軸性のＡプレートリターダとして挙動し、前記他方の状態では、Ｃプレートリターダとして挙動し、
スイッチの各々のプレチルトは、３度未満であり、
スイッチの各々は、スプレイを有し、スイッチの各々の前記一方の状態または前記他方の状態のいずれかから生じるＲeは、１０ナノメートル未満であり、
前記第１のＬＣスイッチおよび前記第２のＬＣスイッチの１つが前記一方の状態または前記他方の状態の一方にあり、前記第１のＬＣスイッチおよび前記第２のＬＣスイッチの他方が前記一方の状態または前記他方の状態の他方にあるときに、前記デバイスの複合Ｒthがゼロであるように、前記Ａプレートリターダのリタデーションと前記第１のＬＣスイッチおよび前記第２のＬＣスイッチのリタデーションは整合し、
前記第１のＬＣスイッチおよび前記第２のＬＣスイッチの一方が前記一方の状態にあり、前記第１のＬＣスイッチおよび前記第２のＬＣスイッチの他方が前記他方の状態にあるときに、前記デバイスの複合Ｒeはゼロであり、
前記第１のＬＣスイッチおよび前記第２のＬＣスイッチの一方が前記他方の状態にあり、前記第１のＬＣスイッチおよび前記第２のＬＣスイッチの他方が前記一方の状態にあるときに、デバイスの複合Ｒeはλ／２である、デバイス。
【請求項２３】
デバイスであって、
偏光子と、
光軸を有し、面内のリタデーション（Ｒe）と、厚さ方向のリタデーション（Ｒth）とを有する、Ａプレートリターダと、
光軸を有し、面内のリタデーション（Ｒe）と、厚さ方向のリタデーション（Ｒth）とを有し、一方の状態と他方の状態との間でスイッチング可能である、第１の液晶（ＬＣ）スイッチと、
光軸を有し、面内のリタデーション（Ｒe）と、厚さ方向のリタデーション（Ｒth）とを有し、一方の状態と他方の状態との間でスイッチング可能である、第２のＬＣスイッチと
を備え、
前記Ａプレートリターダと前記第１のＬＣスイッチおよび前記第２のＬＣスイッチは、前記第１のＬＣスイッチのＲeが前記ＡプレートリターダのＲeと加算され、前記第２のＬＣスイッチのＲeが前記ＡプレートリターダのＲeと差分されるように、それぞれの光軸に対して配置され、
前記第１のＬＣスイッチおよび前記第２のＬＣスイッチは、互いに逆位相で動作し、
デバイス全体の複合Ｒthは、前記一方の状態または前記他方の状態のいずれかで、個々のスイッチのいずれかのＲthよりも実質的に小さい、デバイス。
【発明の詳細な説明】
【技術分野】
【０００１】
［関連出願への相互参照］
本出願は、２０１７年１１月１７日に出願された米国仮特許出願第６２／５８８，０９５号の優先権を主張し、その内容全体が参照により本明細書に組み込まれる。
【背景技術】
【０００２】
先行技術の単純なリタデーションスイッチは、単一の可変複屈折液晶（ＬＣ）デバイスを含む。これは、反平行配向ネマチックＬＣである、電気制御複屈折（ＥＣＢ）デバイスを使用して実施され得る。あるいは、それは、垂直配向ネマチック（ＶＡＮ）ＬＣ、または平行配向ネマチックＬＣであるπセルであり得る。それは、特定の設計で円偏光を生成することが知られている、６４°のツイストネマチックなどの混合モードのネマチックでもあり得る。
【０００３】
ネマチックＬＣデバイスは、基板の面上への光軸の積算投影（integrated projection）を変化させることによってリタデーションをスイッチングする。典型的なＥＣＢに関して、デバイスは、０ボルトで実質的に正の一軸（＋Ａプレート）のリターダとして挙動し、十分に高い電圧で実質的にゼロの面内のリタデーションを有している。多くの用途において、垂直入射のリタデーションは、入射円錐角度の範囲にわたって維持されることが好ましい。ＥＣＢまたはＶＡＮデバイスなどのデバイスは、非常にわずかな過度のリタデーション（すなわち、無変調または受動的であるリタデーション）で動作し得るため、比較的魅力的である。また、十分に高いスイッチング電圧を有していることで、これらのデバイスは、基板境界でのスプレイに関連づけられた角度依存性に悩まされることはほとんどない。逆に、πセルは、高い受動的なリタデーション（たとえば、合計のπセルのリタデーションの２／３から５／６）を有し得て、低電圧状態での高度のスプレイを示し得る。したがって、πセルは、高電圧状態および低電圧状態の両方においてオフノーマルな比較的乏しいリタデーション均一性を有し得る。
【０００４】
この背景技術に対して、本発明が開発された。
【発明の概要】
【０００５】
本明細書には、リタデーションスイッチングデバイスが開示され、リタデーションスイッチングデバイスは、面内のリタデーションと、厚さ方向のリタデーションとを有する受動的なバイアスリターダと、厚さ方向のリタデーションと連関する、第１の全リタデーションと、電圧制御された面内のリタデーションとを有する第１の液晶セル（ＬＣ１）と、厚さ方向のリタデーションと連関する、第２の全リタデーションと、電圧制御された面内のリタデーションとを有する第２の液晶セル（ＬＣ２）と、ＬＣ１が低電圧に駆動され、ＬＣ２が高電圧に駆動され、ＬＣ１およびＬＣ２が各々、第１の面内のリタデーションおよび第１の厚さ方向のリタデーションを有する、第１の電圧状態と、ＬＣ１が高電圧に駆動され、ＬＣ２が低電圧に駆動され、ＬＣ１およびＬＣ２が各々、第２の面内のリタデーションおよび第２の厚さ方向のリタデーションを有する、第２の電圧状態とを含む。バイアスリターダ、ＬＣ１、およびＬＣ２は、第１の電圧状態と第２の電圧状態との間のスイッチングが、面内の複合リタデーションの変化をもたらすように、直列に配置される。両方の電圧状態での厚さ方向の複合リタデーションの大きさは、最大の面内の複合リタデーションより小さい。
【０００６】
第１のＬＣスイッチおよび第２のＬＣスイッチは、一方の状態では、一軸性のＡプレートリターダとして挙動し、他方の状態では、Ｃプレートリターダとして挙動し得る。第１の液晶セルの光軸は、第２の液晶セルの光軸と実質的に交差し得る。スイッチの各々のプレチルトは、３度未満であり得る。スイッチの各々は、スプレイを有し得て、スイッチの各々の一方の状態または他方の状態のいずれかで、スプレイから生じるＲeは、１０ナノメートル未満であり得る。第１および第２のＬＣスイッチの全リターダンスは、実質的に同じであり得る。
【０００７】
バイアスリターダは、Ａプレートリターダであり得る。液晶セルの光軸は、バイアスリターダの光軸に実質的に平行または垂直であり得る。バイアスリターダ、第１のＬＣスイッチ、および第２のＬＣスイッチの面内のリターダンスは、実質的に同じであり得る。第１のＬＣスイッチおよび第２のＬＣスイッチの各々の面内のリターダンスは、バイアスリターダの面内のリターダンスよりも最大で２０％大きくなり得る。Ａプレートリターダは、λ／４のＲeおよびλ／８のＲthを有する一軸性の１／４波長リターダであり得て、λは、それを通過する光の波長である。第１のＬＣスイッチおよび第２のＬＣスイッチの一方が一方の状態または他方の状態の一方にあり、第１のＬＣスイッチおよび第２のＬＣスイッチの他方が一方の状態または他方の状態の他方にあるときに、デバイスの複合Ｒthがゼロであり得るように、Ａプレートバイアスリターダのリタデーションと第１のＬＣスイッチおよび第２のＬＣスイッチのリタデーションは整合し得て、第１のＬＣスイッチおよび第２のＬＣスイッチの一方が一方の状態にあり、第１のＬＣスイッチおよび第２のＬＣスイッチの他方が他方の状態にあるときに、デバイスの複合Ｒeはゼロであり得て、第１のＬＣスイッチおよび第２のＬＣスイッチの一方が他方の状態にあり、第１のＬＣスイッチおよび第２のＬＣスイッチの他方が一方の状態にあるときに、デバイスの複合Ｒeはλ／２であり得る。
【０００８】
バイアスリターダは、Ｃプレートリターダであり得る。Ｃプレートバイアスリターダは、λ／８のＲthを有し得て、λは、それを通過する光の波長である。第１のＬＣスイッチおよび第２のＬＣスイッチの一方が一方の状態または他方の状態の一方にあり、第１のＬＣスイッチおよび第２のＬＣスイッチの他方が一方の状態または他方の状態の他方にあるときに、デバイスの複合Ｒthがゼロであり得るように、Ｃプレートバイアスリターダのリタデーションと第１のＬＣスイッチおよび第２のＬＣスイッチのリタデーションは整合し得て、第１のＬＣスイッチおよび第２のＬＣスイッチの一方が一方の状態にあり、第１のＬＣスイッチおよび第２のＬＣスイッチの他方が他方の状態にあるときに、デバイスの複合Ｒeはλ／４であり、第１のＬＣスイッチおよび第２のＬＣスイッチの一方が他方の状態にあり、第１のＬＣスイッチおよび第２のＬＣスイッチの他方が一方の状態にあるときに、デバイスの複合Ｒeは−λ／４であり得る。
【０００９】
デバイスは、入力偏光子をさらに含み得る。デバイスは、入力偏光子の後に配置される幾何学的補償器をさらに含み得て、幾何学的補償器は、入力偏光子および検光子が交差することによる幾何学的漏れを最小にする。デバイスは、出力検光子をさらに含み得、出力検光子は入力偏光子に対して交差している。デバイスは、出力に偏光選択反射面をさらに含み得る。デバイスは、出力に配置される１／４波長リターダをさらに含み得る。デバイスは、出力に配置される幾何学的位相回折光学素子をさらに含み得る。
【００１０】
また、デバイスが開示され、デバイスは、偏光子と、面内のリタデーション（Ｒe）と、厚さ方向のリタデーション（Ｒth）とを有するＡプレートリターダと、光軸を有する第１の液晶（ＬＣ）スイッチであって、第１のＬＣスイッチのＲeがＡプレートリターダのＲeと加算されるように配置され、一方の状態と他方の状態との間でスイッチング可能である、第１の液晶（ＬＣ）スイッチと、光軸を有する第２のＬＣスイッチであって、第２のＬＣスイッチのＲeがＡプレートリターダのＲeと差分されるように配置され、一方の状態と他方の状態との間でスイッチング可能である、第２のＬＣスイッチとを含み、第１のＬＣスイッチおよび第２のＬＣスイッチは、スイッチの他方が他方の状態にあるときにはいつでも、スイッチの一方が一方の状態にあるように制御され、デバイス全体の複合Ｒthは、一方の状態または他方の状態のいずれかで、個々のスイッチのいずれかのＲthよりも実質的に小さく、第１のＬＣスイッチおよび第２のＬＣスイッチは、一方の状態では、一軸性のＡプレートリターダとして挙動し、他方の状態では、Ｃプレートリターダとして挙動し、スイッチの各々のプレチルトは、３度未満であり、スイッチの各々は、スプレイを有し、スイッチの各々の一方の状態または他方の状態のいずれかから生じるＲeは、１０ナノメートル未満であり、第１のＬＣスイッチおよび第２のＬＣスイッチの１つが一方の状態または他方の状態の一方にあり、第１のＬＣスイッチおよび第２のＬＣスイッチの他方が一方の状態または他方の状態の他方にあるときに、デバイスの複合Ｒthがゼロであり得るように、Ａプレートリターダのリタデーションと第１のＬＣスイッチおよび第２のＬＣスイッチのリタデーションは整合し得て、第１のＬＣスイッチおよび第２のＬＣスイッチの一方が一方の状態にあり、第１のＬＣスイッチおよび第２のＬＣスイッチの他方が他方の状態にあるときに、デバイスの複合Ｒeはゼロであり、第１のＬＣスイッチおよび第２のＬＣスイッチの一方が他方の状態にあり、第１のＬＣスイッチおよび第２のＬＣスイッチの他方が一方の状態にあるときに、デバイスの複合Ｒeはλ／２である。
【００１１】
デバイスが開示され、デバイスは、偏光子と、光軸を有し、面内のリタデーション（Ｒe）と、厚さ方向のリタデーション（Ｒth）とを有する、Ａプレートリターダと、光軸を有し、面内のリタデーション（Ｒe）と、厚さ方向のリタデーション（Ｒth）とを有し、一方の状態と他方の状態との間でスイッチング可能である、第１の液晶（ＬＣ）スイッチと、光軸を有し、面内のリタデーション（Ｒe）と、厚さ方向のリタデーション（Ｒth）とを有し、一方の状態と他方の状態との間でスイッチング可能である、第２のＬＣスイッチとを備え、Ａプレートリターダと第１および第２のＬＣスイッチは、第１のＬＣスイッチのＲeがＡプレートリターダのＲeと加算され、第２のＬＣスイッチのＲeがＡプレートリターダのＲeと差分されるように、それぞれの光軸に対して配置され、第１のＬＣスイッチおよび第２のＬＣスイッチは、互いに逆位相で動作し、デバイス全体の複合Ｒthは、一方の状態または他方の状態のいずれかで、個々のスイッチのいずれかのＲthよりも実質的に小さい。
【図面の簡単な説明】
【００１２】
【図１】本開示の自己補償型リタデーションスイッチの断面図である。
【図２】交差する偏光子間での完全通電状態における、単純な先行技術のＥＣＢ半波ＬＣリターダに関する、入射角（ＡＯＩ）でのコントラスト比の方位依存性を示す。
【図３】様々な入射角に対する０ボルトでの単純な先行技術のＥＣＢ半波ＬＣリターダの分光透過率を示す。光軸は平行偏光子に対して４５°にあり、平行偏光子は、最小の漏れおよび中心波長の大きさをより明確に示すために使用されている。方位４５°におけるリタデーションの青方偏移（ＰＯＩはＯＡを含む）は−８０ｎｍであり、方位−４５°における赤方偏移は＋７２ｎｍである。比較的小さいリタデーション偏移で方位０／９０°における幾何学的漏れも存在する。
【図４】交差する偏光子間で本開示のリタデーションスイッチを使用する、シャッタに関するいくつかの入射角（ＡＯＩ）でのコントラスト比の方位依存性を示す。ＬＣ１は完全に通電され、ＬＣ２は非通電（差分のリターダンス）である。本開示の自己補償は、交差する偏光子の幾何学的回転を補正する補償器とともに、ワーストケースのコントラストを４５°のＡＯＩで２２０：１まで増大させる。
【図５】様々な入射角に対する本開示のリターダスイッチの分光透過率を示す。ＬＣ１は非通電であり、ＬＣ２は完全に通電されている（加算されたリタデーション）。最小の漏れおよび中心波長をより明確に示すために、平行偏光子が使用されている。リタデーション偏移は、単純なＬＣ変調器のリタデーション偏移と比較して穏やかである。
【図６】自己補償型スイッチおよび検光子を含む、光シャッタを示す。
【図７】自己補償型スイッチおよび偏光選択反射器を含む、ビームステアラを示す。
【図８】自己補償型スイッチおよび幾何学的位相レンズを含む、可変焦点距離レンズを示す。
【発明を実施するための形態】
【００１３】
本明細書に開示される実施形態は、様々な変更および代替形態が可能であるが、その特定の実施形態は、図面において例として示されており、本明細書で詳細に説明されている。しかし、本発明を開示される特定の形態に限定することを意図するものではなく、むしろ、本発明が、特許請求の範囲によって定義されるように本発明の実施形態のすべての修正、同等物、および代替物を包含するものであることを理解されたい。本開示は図面を参照して説明され、ここで、同様の参照番号は実質的に同様の要素を示す。
【００１４】
本開示は、入射角の最大範囲にわたって垂直入射挙動を維持する特異な液晶偏光スイッチを明らかにしている。垂直入射挙動は、（たとえば）２つまたはそれ以上の所望の面内のリタデーション値（Ｒe）を表す電気光学的状態を含み得る。たとえば、２つの状態は、ゼロのリタデーションを有するＲeおよび半波長のリタデーションを含み得る。例示的な偏光スイッチは、２つまたはそれ以上の電気光学的状態で、（Ａ）最小の過剰な（すなわち受動的な）リタデーション、（Ｂ）最小のスプレイ、および（Ｃ）最小の厚さ方向のリタデーション（Ｒth）を有し得る。一実施形態では、受動的なリタデーション、スプレイ、および厚さ方向のリタデーションは、実質的にゼロである。ネマチックＬＣデバイスは、通常、連関するＲeおよびＲthのスイッチング（coupled Re and Rth switching）を示すため、本明細書で教示される技術は、アクティブ補償または自己補償を使用して、２つまたはそれ以上の状態で、これらを分離し、Ｒthを最小化する。
【００１５】
本開示は、２つまたはそれ以上の電気光学的状態において、厚さ方向のリタデーション（Ｒth）を最小化する目的でリタデーションを変調するために、加算−差分のスキームを使用し得る。このタイプのスイッチングの先行技術の例は、円偏光アイウェアレンズの１つと組み合わせて使用される、（Ｓｔｅｒｅｏｇｒａｐｈｉｅｓによって開発された）「Ｚスクリーン」である。「プッシュプル型」変調器の目的は、特に、受動的な円偏光アイウェアを用いた高速対称３Ｄスイッチングを製造することであり、広い許容角度を達成する目的ではない。実際には、Ｚスクリーンは、実際には、いくつかの設計上の制限のために、視野が不十分である。Ｓｈａｒｐらによる最近の特許は、１つまたは複数のＣプレートリターダを使用して、πセルの過剰または受動的なリタデーションを補償することに特有である、この問題を軽減している（その内容全体が引用により本明細書に組み込まれる、米国特許第９，１６７，２３６号明細書を参照）。受動的なリタデーションは、（複屈折にセルギャップを乗じた）ＬＣセルの全リタデーションと極端な電気光学的状態間で変調される最大リタデーションとの差として計算され得る。たとえば、ゼロのＲeと１３０ｎｍのＲeとの間で変動し、５７０ｎｍの受動的なリタデーションを与えるために、７００ｎｍの全リタデーションを必要とするπセルが必要とされ得る。また、スプレイと組み合わせた大きなセルのリタデーションが原因で、補償は、非常に大きなＦＯＶを達成することができない。逆に、本開示は、大きなパーセンテージのセルのリタデーション、およびいくつかの場合では、実質的にセル全体のリタデーションを変動させるのに十分な電圧とともに、最小の受動的なリタデーションを有するセルを使用する。一実施形態では、非常に広い範囲の入射角にわたって、両方の状態で、複合リタデーションを維持するために、交差した光軸を有する整合した複数のＬＣセルが、整合したＡプレートリターダと組み合わせて使用される。光軸を完全に面内に有する一軸性のリターダである、受動的なＡプレートは、最適な厚さ方向のリタデーション補償（Ｒth）を提供しながら、加算−差分のリタデーションスキームを可能にするという二重の目的を有することができる。
【００１６】
ネマチックＬＣデバイスは、典型的に、真の可変複屈折スイッチを相当するものではない。むしろ、それらは、電気的に駆動されたときに、基板の面上への分子ディレクタ（光軸）の積算投影（integrated projection）を変調することによって動作する。低プレチルトを仮定すると、デバイスは、実質的に０ボルト状態での＋Ａプレート（基板の面内に光軸を有する一軸のリターダ）として挙動する。完全に通電されると、スプレイの厚さ方向（Ｚ範囲）は、非常に小さくなり得て（第１および第２のＬＣスイッチの各々の一方の状態または他方の状態のいずれかでスプレイに起因するＲeは、１０ナノメートル未満であり得る）、デバイスは、実質的に＋Ｃプレートリターダ（基板に対して垂直な光軸を有する一軸性）として挙動し得る。このように駆動されるＥＣＢデバイスは、面内のリタデーションＲeおよび厚さ方向のリタデーションＲthによって特徴付けられ得て、以下として定義される。
【００１７】
【数１】
2021503624.tif 000003
および
【００１８】
【数２】
2021503624.tif 000004
【００１９】
式中、ｄは、液晶セルの厚さであり、ｎxおよびｎyは面内の屈折率であり、およびｎzは厚さ方向の屈折率である。Ｒthは、面内の屈折率の平均と厚さ方向の屈折率との間の差に起因するリタデーションとして認識され得る。それは、入射場がｚに沿った非ゼロの投影を有するときに、性能の低下に寄与し得る。実際に、面内および厚さ方向の両方に延伸されるリターダフィルム（たとえば、日東電工株式会社のＮＲＺ製品）は、条件Ｒth＝０をもたらし得て、これによって、入射角（ＡＯＩ）に実質的に依存しないリタデーションが与える。
【００２０】
正の一軸性のＬＣリターダを仮定すると、上記から、
０ボルトで、Ｒe＝（ｎe−ｎ0）ｄ、およびＲth＝＋Ｒe／２が得られ、
式中、ｎeは（ラビング方向、または光軸に沿った）異常屈折率であり、ｎ0は直交方向の通常の屈折率である。また、
全通電状態では、Ｒe＝０、およびＲth＝−Ｒeも得られる。
【００２１】
上記の状態のいずれにおいても、Ｒth値は、非ゼロであり、したがって、オフノーマルの性能が損なわれる可能性があることに留意されたい。さらに、ＥＣＢの基本的な挙動は、Ｒeの変調と密接に結び付いているため、変調されたＲthを生成することである。これは、いずれの状態の性能も向上させるための有効な受動的な補償を排除する。
【００２２】
単純な変調器は、Ｒth値をバイアスする（たとえば）Ｃプレートを追加することによって、またはＲeおよびＲth値の両方をバイアスするＡプレートを追加することによって補償され得る。これは、一方の状態の性能が、ＬＣディスプレイの暗状態ＦＯＶなどの、他方の状態よりも高い優先度である場合に、有益であり得る。しかし、このような補償器は、１つの電圧状態に対してゼロの複合Ｒth値を生成し得るが、それは他方の状態の複合Ｒth値を犠牲にして行う。たとえば、通電されたセルの正のＣプレートのリターダンスに整合した負のＣプレートは、大きな範囲の入射角にわたって、ゼロの面内のリタデーションを生成する。しかし、その結果、０ボルトの厚さ方向のリタデーションは、Ｒth＝＋３Ｒe／２となる。したがって、非通電状態での性能は、入射角でさらに低下する。
【００２３】
最も広い意味では、本開示は、スイッチング可能なリターダに適用される。一般性を失うことなく、これは、２つの状態が、広い範囲の入射角にわたるゼロのリタデーション、およびゼロ次の半波長のリタデーションを示す光シャッタ用途において、簡便に実証される。図１は自己補償型リタデーションスイッチの断面を示し、Γは３つすべての素子のリタデーションである。この構成では、１つのセルは、他のセルが低であるときに、高に駆動され、その逆もしかりである。このようにして、１つのＬＣデバイスは、＋Ｃプレートのリタデーションを生成し、他のＬＣデバイスは、＋Ａプレートのリタデーションを生成する。垂直入射では、デバイスは、基本的に、法線を中心として９０°に電気的に回転され得る面内のＱＷリターダである。このように、ＬＣのリタデーションは、受動的なＡプレートのリタデーションで加算されるか、または差分される。式１および２は、面内での光軸配向に依存しないため、Ｒth値の変調はなく、一般にゼロである。
【００２４】
【表１】
2021503624.tif 000005
【００２５】
表が示すように（Γ＝λは、リタデーションの全波長を示す）、複合リタデーションは、両状態でのゼロの厚さ方向のリタデーションとともに、半波およびゼロの面内のリタデーション間で変調する。概して、実質的に１００％の変調であるセルのリタデーションと組み合わされた３つのリタデーション値の整合は、両状態のＡＯＩ自己補償とともに、Γのリタデーション値とゼロのリタデーション値との間のスイッチングを提供する。
【００２６】
偏光スイッチが典型的に交差する偏光子間に配置される光シャッタの場合、ＡＯＩ性能を最適化するための追加の設計考慮が存在する。一対の理想的な交差する偏光子の単純なケースでは、コントラストは、オフノーマルで低下する。オフノーマルでの幾何学的な回転に完全に起因して、別個に補償される必要がある、方位±４５°における最大の漏れが存在する。４５°のＡＯＩでのワーストケースの方位におけるコントラスト比は、単に８８：１である。（たとえば）偏光子吸収軸に沿ったＲｔｈ＝０を有する２軸性の半波長リターダの挿入は、これを実質的に補正する。この構成要素は、具体的には、オフノーマルであるこれらの方位角において、偏光子の幾何学的な回転の問題を修正する。ゼロ次のＨＷ補償器は、空気中において、４５°の極端な入射角でコントラストを８８：１から３７５：１まで高めることができる。代替的に、Ａプレート／Ｃプレートの組み合わせ、または負のＣプレートと組み合わされた２軸性のリターダは、当該技術分野で知られているように、同様の機能を提供することができる。
【００２７】
ベンチマーク目的で、垂直入射で黒状態を生成するために完全に通電された、交差する偏光子間の４５°での単純な先行技術のＥＣＢ  ＨＷリターダの挿入は、空気中において、ワーストケースの方位および４５°の入射角で、７：１のコントラストしかを与えない。基本的に、大きな＋Ｃプレートのリタデーションのセルは、図２に示されるように、オフノーマルである、方位±４５°におけるコントラストを実質的に低下させるように作用する。さらに、０ボルト（たとえば、ＨＷ）状態での非ゼロのＲｔｈの存在は、オフノーマルの性能に影響を及ぼす。図３は、垂直入射での透過スペクトル、および、オフノーマルである、いくつかの方位角での透過スペクトルを示している。非ゼロのＲｔｈは、４５°のＡＯＩにおいて、ＰＯＩが光軸を含むときに、ＨＷの中心波長のリタデーションである、−８０ｎｍの青方偏移を生成し、ＰＯＩが直交軸にあるときに、７２ｎｍの赤方偏移を生成する。要約すると、先行技術のリターダスイッチは、非通電状態と完全通電状態の両方において、実質的なＡＯＩ不安定性を示す。シャッタまたは立体視３Ｄシステムに関連する、このようなＨＷ偏移は、角度を有する色ずれを示し得る。３Ｄ投影システムにおいて、これは、画面上での白色点の空間変位として発現され得る。
【００２８】
図１は、本開示の自己補償型リタデーションスイッチの概略図である。この場合、スイッチは、偏光光を受容するように示されている入力幾何学的補償器を含む。入力幾何学的補償器は、幾何学的回転を補正するためのものであり、当該技術分野で周知である。各内容が参照によって本明細書に組み込まれる、“Analytical Solutions for Uniaxial-Film-Compensated Wide-View Liquid Crystal Displays,”J. Display Technology 2, 2-20, 2006、および“Transmittance Enhancement for Randomly Aligned Liquid Crystal Displays with Circular Polarizers,”Jpn. J. Appl. Phys. 41, L1383-L1385, 2002を参照されたい。次に、Ａプレートリターダなどの固定リターダが含まれる。これに続いて、一対の液晶スイッチが含まれ、その各々は、光軸を有し、面内のリタデーション（Ｒｅ）および厚さ方向のリタデーション（Ｒｔｈ）を有し、一方の状態と他方の状態との間でスイッチング可能である。一対の液晶スイッチは、それらの光軸が互いに直交するように配置され得る。出力時に、光は図示のように偏光され得る。図１の構成では、先に述べたように幾何学的回転補償器を使用することで、性能が大幅に改善される。図４は、交差する偏光子間で本開示のリタデーションスイッチを使用するシャッタについての、いくつかの入射角（ＡＯＩ）でのコントラスト比の方位依存性を示す。ＬＣ１は完全に通電され、ＬＣ２は非通電（差分のリターダンス）である。本開示の自己補償は、交差する偏光子の幾何学的回転を補正する補償器とともに、４５°のＡＯＩでワーストケースのコントラストを２２０：１まで増大させる。ここで使用される仮定は、ＬＣおよびＡプレートが無分散型であることである（しかし、実際には、それらは、一方の状態の面内のリタデーションをゼロに維持するために、少なくとも分散型と整合され得る）。コントラスト対方位のプロットは、ゼロのリタデーション状態のコントラストが、ワーストケースの方位角および４５°のＡＯＩで２２０：１であることを示している。本質的に、本発明のスイッチの性能は、コントラストを７：１から２２０：１に増大させる。たとえば、立体視３Ｄシステムに関連して、これは、ステレオコントラスト比（またはゴーストクロストーク）がスクリーン全体にわたって、はるかに良好であり得ることを意味している。
【００２９】
さらに、図３の先行技術のスイッチで観察されたリタデーション偏移は、事実上無効にされる。図５は、様々な入射角に対する、本開示のリターダスイッチについての分光透過率を示す。ＬＣ１は非通電状態であり、ＬＣ２は完全に通電されている（加算されたリタデーション）。透過極小の漏れおよび中心波長をより明確に例示するために、平行偏光子が使用される。リタデーション偏移は、単純なＬＣ変調器のリタデーション偏移と比較して穏やかである。立体視３Ｄシステムに関連して、これは、スクリーン全体にわたって白色点の色ずれがほとんどないことを意味している。方位０／９０°における、いくらかの幾何学的漏れが生じるが、これは、追加の受動的な補償を通じて、低減され得ることに留意されたい。これは、リターダの光軸の幾何学的回転によって引き起こされる。
【００３０】
本明細書に開示されるデバイスは、ＬＣスイッチの１つが通電され、他が非通電であるように動作するように意図されることに留意されたい。これは、逆位相の動作と呼ばれ得る。上述したように、これは、可算されたリターダンス（ＬＣ１が非通電およびＬＣ２が通電）または差分のリターダンス（ＬＣ２が非通電およびＬＣ１が通電）を含み得る。
【００３１】
広受光角度のリターダスイッチは、多くの光学システムおよび用途を可能にする。偏光ベースまたは偏光感受型の光学システムでは、通常、入射光が完全にコリメートされない場合がある。先行技術の角度感受型の偏光スイッチ（複素振幅変調器、シャッタ、および偏光状態（ＳＯＰ）の発生器を含む）に対して適切な位置に適応するための光学システムへの変更は、高価であり得、場合によっては不可能である。実質的に角度非感受型であるリタデーションスイッチを可能にすることによって、デバイスは、光学システム内の比較的任意の位置に配置され得て、適切に実行し得る。例としては、投影ディスプレイ、３Ｄディスプレイ、画像取り込みデバイス、偏光計、スイッチング可能な回折素子などが挙げられる。本明細書に開示される技術は、（たとえば）シャッタを単一ピクセルとして必要とする任意の用途、または高ダイナミックレンジ（ＨＤＲ）の表示／取り込みなどのためのアレイにおいて使用され得る。デバイスは、２つの極端な電気光学的状態で最良の性能を発揮し得るが、（たとえば）パルス幅変調スキームを使用する時間的平均化によって、いくらかのグレーレベルの制御がもたらされ得る。代替的に、ＬＣデバイスをアナログ方式で駆動させることによって、グレーレベルがもたらされ得る。
【００３２】
本明細書に開示される技術は、高い性能が、２つまたはそれ以上の電気光学的状態で、広いＡＯＩ範囲にわたって達成される必要がある用途において、特に利点がある。準無彩色の性能が、最小の複屈折分散でゼロ次のリターダおよび材料を使用して、Γのリタデーション状態において達成され得る。ＬＣ材料が、逆分散で利用可能になるならば、それは、逆分散のＡプレートフィルム（たとえば、帝人株式会社による広帯域のＱＷリターダ）と組み合わされて、真に無彩色のリターダスイッチを製造することができる。これは、（たとえば）シャッタのスループットを最大にする、または、より一般的には、拡張された波長範囲にわたってリタデーションスイッチングの大きさを維持するのに有益であり得る。さらに、ゼロのリタデーション状態を小さな受動的リターダでバイアスすることによって、効果的に等方性（無彩色）の状態であるゼロのリタデーション状態とＨＷ状態との間の妥協点に達し得る。たとえば、逆分散フィルムは、低リタデーション状態で小さな面内のリタデーションを生成し得て、これは、高リタデーション状態に有益であり、したがって、性能のバランスがとられる。高リタデーション状態では、逆分散フィルムは、より無彩色にするために、より長波長で優先的なリタデーションを加え得る。
【００３３】
【表２】
2021503624.tif 000006
【００３４】
表２に例示されるように、本開示のＬＣスイッチは、任意の加算−差分の面内のスイッチングを提供するために使用し得る。しかし、最適なＲth＝０の条件が両状態で成立している唯一のケースは、３つすべての素子のリターダンスが整合している場合である。他のケースでは、（単純な変調器に対する）ＡＯＩの有益性は、表２に示される複合Ｒth値に応じて、選択される特定のリターダンスに依存する。見られ得るように、デバイス全体の複合Ｒthは、一方の状態または他方の状態のいずれかで、個々のスイッチのいずれかのＲthよりも実質的に小さい。
【００３５】
本開示のスイッチは、バイナリモードまたはアナログモードのいずれかで動作し得て、後者は、中間ディレクタ分布に関連付けられた電圧でＦＯＶ性能の低下を被り得ることが理解される。すなわち、（実質的に）面内（Ａプレート）または面外（Ｃプレート）のいずれでもないディレクタのプロファイルは、入射角による一次のリタデーション偏移を有し得る。加えて、中間ディレクタのプロファイルと関連付けられた幾何学的回転の効果は、より顕著になり得る。逆に、バイナリモードのデバイスは、有効にゼロの複合Ｒthでの二次のリタデーション偏移を有し得る。
【００３６】
視野を最適化する１つの構成では、ディレクタのプロファイルは、バイナリのリタデーションスイッチでのように、極限状態間でのＡプレート／Ｃプレートのスイッチングに近似させられる。ＥＣＢに関して、Ａプレートの近似は、基板に対するセルのプレチルトを最小化する（３°未満、より好ましくは約１°）ことを伴い得る。それはまた、面外のディレクタ寄与率を増大させ得る小さな電圧を使用するのではなく、むしろ、０ボルトで所望のリタデーションを達成することを意味し得る。逆に、境界でのスプレイの程度が最小化されるのに十分な電圧を供給することによって、通電状態をＣプレートに近似させ得る。すなわち、ディレクタは、セル全体にわたって、基板に対して実質的に垂直に存在する。Ａプレート／Ｃプレートのスイッチングは、先に説明したように、（実質的に）ゼロの受動的なリタデーションおよびゼロのスプレイと同じことを表していると考えられ得る。スイッチがＶＡＮモードを使用して構築される場合でも、上記は当てはまり、電気光学的状態が反転される。
【００３７】
本開示のデバイスは、ステージ間への偏光子の介入の有無にかかわらず、カスケード接続され得る。各ステージが最適化された設計のＡＯＩ有益性を満たす程度まで、多段装置もＡＯＩ有益性を満たす。各ステージは、特定のリタデーション値をスイッチングし得て、それにより、リタデーション値の数は、２Nとしてスケーリングし得る。ここで、Ｎはステージの数である。たとえば、１つのステージは、ゼロと１／４波長との間をスイッチングし、第２のステージは、ゼロと半波との間をスイッチングし得る。これにより、線形のＱＷ増分でステップを踏む４つの状態のデバイスが得られる。もちろん、２つまたはそれ以上のステージを使用する他の構成も実現可能である。場合によっては、各ステージに対するＡプレートのリタデーションは、複合リタデーション値を有する単一層に統合され得る。これにより、製造プロセスを簡略化し、必要とされる受動的なリターダの数を減少させることができる。
【００３８】
立体視３Ｄに関連して、本明細書に開示される技術は、（投影または直視）ディスプレイに存在するスイッチングユニット、およびビューアに存在するアイウェアレンズに物理的に分離することができる。この場合、１つの線形偏光子と組み合わされたＱＷのＡプレートは、（±４５°の配向で）アイウェアレンズを構成し、他の偏光子および一対のＬＣデバイスは、ディスプレイに存在する。先行技術のＺスクリーンとは異なり、このような自己補償型リターダスイッチは、極めて広角の３Ｄ観賞を可能にする。このようなデバイスは、（たとえば）現代の極度に短投影のプロジェクタとともに使用し得る。
【００３９】
本明細書に教示されるリタデーションスイッチは、様々なタイプのスイッチングを提供するために、任意の偏光感受型素子と組み合わせ得る。図７は、自己補償型スイッチおよび偏光選択反射器を含むビームステアラを示す。図８は、その各内容が引用によって本明細書に組み込まれる、米国特許第７，５７０，４２７号明細書および米国特許第８，２６４，６２３号明細書に記載されている種類の自己補償型スイッチおよび幾何学的位相レンズを含む、可変焦点距離レンズを示す。（たとえば、線形）偏光子に続くと、デバイスは、偏光状態発生器として作用し得る。図６に示すように、線形偏光子に続き／追従すると、デバイスは、振幅／透過スイッチまたは光シャッタとして機能し得る。偏光感受型素子に追従すると、デバイスは、様々な形態のスイッチングを提供し得る。幾何学的位相光学素子は、（たとえば）ビームステアリング（図７）および焦点距離スイッチング（図８）を可能にする固有偏光を有している。様々なタイプの偏光ビームスプリッタ（ＰＢＳ）も、バイナリビームステアリングを可能にする。ワイヤグリッドまたは多層（たとえば、３ＭのＭＯＦ）フィルムは、ＰＢＳとして機能するが、それらは熱成形可能でもある。これにより、それらは、同時係属中出願（その内容全体が引用により本明細書に組み込まれる、米国特許出願第６２／６２３，４９３号明細書）に記載されているように、光を通過させるか、または反射時に光を修正（たとえば、光パワーを導入）し得る。（その内容全体が引用により本明細書に組み込まれる、米国特許出願第６２／６２３，４８４号明細書に記載されているように）ステージ内に多次のリターダなどの光学素子を追加することで、スイッチング可能な偏光干渉波長フィルタを可能にする。リタデーションスイッチはまた、位相のみのモードでも使用し得て、それにより、絶対位相は、変調されるが、偏光状態は、変調されない。上記の変調例の混成体を生成する構成も、可能である。
【００４０】
本発明はさらに、（たとえば）円形の固有偏光を有する素子との使用のために必要とされ得る、円形の偏光状態の左右回り間（between the handedness of circular polarization states）での広角度のスイッチングを可能にする。これは、コレステリック液晶および幾何学的位相回折素子（たとえば、レンズまたはビームステアラ）を含む。この場合、前述した、Ｒe値をバイアスするためのＡプレートが、Ｃプレートに置き換えられ得る。後者は、Γを各ＬＣセルのリタデーションとすると、−Γ／２のＲthリタデーションを有し得る。この状態は、各電圧状態において最小の複合リタデーションで面内Ｒeスイッチを生成し得る。
【００４１】
表３は、Ｃプレートバイアススイッチに関する真理値表を示しており、（Ａプレートバイアススイッチに関する真理値表を示した）表２に類似している。
【００４２】
【表３】
2021503624.tif 000007
【００４３】
類似を拡張するように、表４は、Ｃプレートバイアススイッチの１／４波長の実施形態の真理値表を示す。この実施形態は、表１に示される、Ａプレートバイアスされたｓ／ｐ線形偏光スイッチに類似するＬＨＣＰ／ＲＨＣＰ旋回スイッチ（LHCP/RHCP handedness switch）である。
【００４４】
【表４】
2021503624.tif 000008
【００４５】
前述したように、一方の電圧状態の厚さ方向を他方の電圧状態を犠牲にして減少させ得るバイアスリターダが、追加され得る。このようなバイアスに感受しない指標は、２つの電圧状態でＲthを抑制する際の自己補償型スイッチの値を示し得る。これは、次のように与えられ得る。
【００４６】
【数３】
2021503624.tif 000009
【００４７】
ここで、最適化された設計は、ΔＲth＝０を有し得る。段落００２０に記載される単一のＬＣ可変リターダに関して、２つの極限電圧状態が、＋Ａプレートおよび＋Ｃプレートのリターダ間のスイッチングに対応する場合、厚さ方向のリタデーションの全変動は、実質的にΔＲth＝３Ｒe／２である。この例では、本発明の有効性に関する指標は、それゆえ、自己補償がこの値未満にΔＲthを減少させる度合いによって与えられ得る。例示的な場合では、表２に示されるように、整合したリターダは、ΔＲth＝０を生成する。しかし、リターダ関係性の増分変化は、依然として有用な自己補償を生成することができる。たとえば、それは、リターダが以下の関係性を有する場合である。
【００４８】
【数４】
2021503624.tif 000010
【００４９】
ここで、δ1およびδ2は、それぞれ、バイアスリターダとＬＣセルとの差である。各々が同様の値の増分シフトを有する場合、上記方程式は以下の値を与え得る。
【００５０】
【数５】
2021503624.tif 000011
【００５１】
このような例における自己補償は、それゆえ、厚さ方向のリタデーションの変動が実質的に以下を満たす任意の関係性に対して有益であり得る。
【００５２】
【数６】
2021503624.tif 000012
【００５３】
本発明の実施形態は、図面および前述の説明において詳細に図示され、説明されてきたが、そのような図示および説明は、例としてみなされるべきであり、特徴を限定するものではない。たとえば、上述した特定の実施形態は、他の記載された実施形態と組み合わせることができ、および／または他の方法で構成されてもよい（たとえば、プロセス要素が他のシーケンスで実行されてもよい）。したがって、例示的な実施形態およびその変形のみが示され、説明されていることが理解されるべきである。
【図１】
2021503624.tif 000013
【図２】
2021503624.tif 000014
【図３】
2021503624.tif 000015
【図４】
2021503624.tif 000016
【図５】
2021503624.tif 000017
【図６】
2021503624.tif 000018
【図７】
2021503624.tif 000019
【図８】
2021503624.tif 000020
【国際調査報告】
2021503624.tif 000021
2021503624.tif 000022